(57)【要約】  電子機器は、筐体（ＨＳ）とパネル（ＰＮ１）とを備える。筐体（ＨＳ）は、第１延設部（２１）と、第２延設部（２２）と、筐体側第１嵌合部（３）と、筐体側第２嵌合部（４）とを含む。パネル（ＰＮ１）は、本体壁部（３０）と第１側壁部（３１）と第２側壁部（３２）とパネル側第１嵌合部（４１）とパネル側第２嵌合部（４２）とを含む。第１側壁部（３１）は、第１延設部（２１）の側に向かって湾曲している。第２側壁部（３２）は、第２延設部（２２）の側に向かって湾曲している。筐体側第１嵌合部（３）とパネル側第１嵌合部（４１）とは、互いに引っ掛かることなく嵌合する。筐体側第２嵌合部（４）とパネル側第２嵌合部（４２）とは、互いに引っ掛かることなく嵌合する。
2019224964.tif 000002
【特許請求の範囲】
【請求項１】
筐体と、
前記筐体に着脱自在であるパネルと
を備え、
前記筐体は、
所定方向に沿って延びる第１延設部と、
前記第１延設部に対して間隔をあけて配置され、前記所定方向に沿って延びる第２延設部と、
前記第１延設部に配置される筐体側第１嵌合部と、
前記第２延設部に配置される筐体側第２嵌合部と
を含み、
前記パネルは、
本体壁部と、
前記所定方向に沿って延びており、前記本体壁部に対して前記第１延設部の側に向かって湾曲している第１側壁部と、
前記所定方向に沿って延びており、前記本体壁部に対して前記第２延設部の側に向かって湾曲している第２側壁部と、
前記第１側壁部に配置されるパネル側第１嵌合部と、
前記第２側壁部に配置されるパネル側第２嵌合部と
を含み、
前記筐体側第１嵌合部と前記パネル側第１嵌合部とは、互いに引っ掛かることなく嵌合し、
前記筐体側第２嵌合部と前記パネル側第２嵌合部とは、互いに引っ掛かることなく嵌合する、電子機器。
【請求項２】
前記筐体は、
前記第１延設部に配置され、所定の第１爪構造が引っ掛かることの可能な第１被引掛部と、
前記第２延設部に配置され、所定の第２爪構造が引っ掛かることの可能な第２被引掛部と
をさらに含む、請求項１に記載の電子機器。
【請求項３】
前記筐体の前記第１被引掛部と前記筐体側第１嵌合部とは、近接して配置され、
前記筐体の前記第２被引掛部と前記筐体側第２嵌合部とは、近接して配置される、請求項２に記載の電子機器。
【請求項４】
前記パネルは、
前記第１側壁部に配置され、前記筐体の前記第１被引掛部に引っ掛かる第１引掛部と、
前記第２側壁部に配置され、前記筐体の前記第２被引掛部に引っ掛かる第２引掛部と
をさらに含み、
前記第１引掛部は、前記所定の第１爪構造を含むとともに、弾性を有し、
前記第２引掛部は、前記所定の第２爪構造を含むとともに、弾性を有し、
前記第１引掛部と前記パネル側第１嵌合部とは、一体成形品であり、
前記第２引掛部と前記パネル側第２嵌合部とは、一体成形品である、請求項３に記載の電子機器。
【請求項５】
前記筐体側第１嵌合部は、前記パネルから離れる方向に凹んでおり、
前記パネル側第１嵌合部は、前記筐体に向かって突出しており、
前記筐体側第２嵌合部は、前記パネルから離れる方向に凹んでおり、
前記パネル側第２嵌合部は、前記筐体に向かって突出している、請求項１から請求項４のいずれか１項に記載の電子機器。
【請求項６】
前記筐体側第１嵌合部は、前記パネルに向かって突出しており、
前記パネル側第１嵌合部は、前記筐体から離れる方向に凹んでいる凹部を含み、
前記筐体側第２嵌合部は、前記パネルに向かって突出しており、
前記パネル側第２嵌合部は、前記筐体から離れる方向に凹んでいる凹部を含む、請求項１から請求項４のいずれか１項に記載の電子機器。
【請求項７】
空気中の塵埃を集塵するフィルターをさらに備える、請求項１から請求項６のいずれか１項に記載の電子機器。
【発明の詳細な説明】
【技術分野】
【０００１】
本発明は、電子機器に関する。
【背景技術】
【０００２】
特許文献１に記載された空気清浄機は、フィルター、フィルター収容部、および、後パネルを備える。フィルターは、脱臭フィルターおよび集塵フィルターを含む。フィルター収容部はフィルターを収容する。後パネルは、フィルター収容部の開口を覆う。後パネルは、矩形の扁平な平板状である。後パネルは、鉛直方向に沿って延びる一対の側縁部を有する。
【先行技術文献】
【特許文献】
【０００３】
【特許文献１】特開２０１５−４０６７５号公報
【発明の概要】
【発明が解決しようとする課題】
【０００４】
一般的には、後パネルの側縁部の各々には、複数の爪部が形成されている。そして、一対の側縁部の複数の爪部がそれぞれ空気清浄機の筐体に引っ掛けられる。その結果、後パネルが筐体に装着される。【０００５】
本願の発明者は、後パネルのようなパネルの脱着に着目して、パネルを容易に脱着できる構造について鋭意研究を行った。【０００６】
本発明の目的は、パネルを容易に脱着できる電子機器を提供することにある。
【課題を解決するための手段】
【０００７】
本発明の一局面によれば、電子機器は、筐体と、前記筐体に着脱自在であるパネルとを備える。前記筐体は、第１延設部と、第２延設部と、筐体側第１嵌合部と、筐体側第２嵌合部とを含む。第１延設部は、所定方向に沿って延びる。第２延設部は、前記第１延設部に対して間隔をあけて配置され、前記所定方向に沿って延びる、筐体側第１嵌合部は、前記第１延設部に配置される。筐体側第２嵌合部は、前記第２延設部に配置される。前記パネルは、本体壁部と、第１側壁部と、第２側壁部と、パネル側第１嵌合部と、パネル側第２嵌合部とを含む。第１側壁部は、前記所定方向に沿って延びており、前記本体壁部に対して前記第１延設部の側に向かって湾曲している。第２側壁部は、前記所定方向に沿って延びており、前記本体壁部に対して前記第２延設部の側に向かって湾曲している。パネル側第１嵌合部は、前記第１側壁部に配置される。パネル側第２嵌合部は、前記第２側壁部に配置される。前記筐体側第１嵌合部と前記パネル側第１嵌合部とは、互いに引っ掛かることなく嵌合する。前記筐体側第２嵌合部と前記パネル側第２嵌合部とは、互いに引っ掛かることなく嵌合する。
【発明の効果】
【０００８】
本発明によれば、パネルを容易に脱着できる。
【図面の簡単な説明】
【０００９】
【図１】本発明の実施形態１に係る電子機器を示す背面図である。
【図２】実施形態１に係る電子機器を示す側面図である。
【図３】実施形態１に係る電子機器の機器本体を示す背面図である。
【図４】実施形態１に係る電子機器のパネルを示す裏面図である。
【図５】実施形態１に係る電子機器のパネルを示す上面図である。
【図６】実施形態１に係る電子機器のパネルの一部を示す斜視図である。
【図７】実施形態１に係る電子機器の筐体側第１嵌合部とパネル側第１嵌合部との嵌合状態を示す横断面図である。
【図８】実施形態１に係る電子機器の筐体の上側被引掛部とパネルの上側引掛部との係合状態を示す縦断面図である。
【図９】実施形態１に係る電子機器の筐体の被差込部にパネルの差込部を差し込んだときの差込状態を示す縦断面図である。
【図１０】本発明の実施形態２に係る電子機器を示す背面図である。
【図１１】実施形態２に係る電子機器を示す側面図である。
【図１２】実施形態２に係る電子機器のパネルを示す裏面図である。
【図１３】実施形態２に係る電子機器のパネルの一部を示す斜視図である。
【図１４】（ａ）は、実施形態２に係る電子機器のパネルの第１装着部材を示す斜視図である。（ｂ）は、実施形態２に係る電子機器のパネルの第１装着部材を示す別の斜視図である。
【図１５】実施形態２に係る電子機器の筐体の被引掛部とパネルの引掛部との係合状態を示す横断面図である。
【図１６】実施形態２に係る電子機器の筐体側第１嵌合部とパネル側第１嵌合部との嵌合状態を示す横断面図である。
【図１７】本発明の実施形態３に係る電子機器の筐体側第１嵌合部とパネル側第１嵌合部との嵌合状態を示す横断面図である。
【発明を実施するための形態】
【００１０】
以下、本発明の実施形態について、図面を参照しながら説明する。なお、図中、同一または相当部分については同一の参照符号を付して説明を繰り返さない。また、図中、説明の便宜上、三次元直交座標系のＸ軸、Ｙ軸、およびＺ軸を適宜記載している。Ｘ軸及びＹ軸は水平方向に平行であり、Ｚ軸は鉛直方向に平行である。Ｚ軸の正方向は、上方向を示し、Ｚ軸の負方向は、下方向を示す。
【００１１】
（実施形態１）
図１〜図９を参照して、本発明の実施形態１に係る電子機器１００を説明する。まず、図１および図２を参照して、電子機器１００を説明する。電子機器１００は、例えば、建造物の室内に設置される。電子機器１００は、例えば、家電機器である。家電機器は、例えば、空気調和機、加湿機、または暖房器具である。空気調和機は、例えば、空気清浄機またはエアコンである。実施形態１では、電子機器１００は空気清浄機である。
【００１２】
図１は、実施形態１に係る電子機器１００を示す背面図である。図２は、電子機器１００を示す側面図である。図１および図２に示すように、電子機器１００は、機器本体１と、パネルＰＮ１とを備える。パネルＰＮ１は例えば合成樹脂製である。機器本体１は、筐体ＨＳと、所定機能を実行する機能部（不図示）とを含む。筐体ＨＳは例えば合成樹脂製である。筐体ＨＳは機能部を収容する。実施形態１では、機能部は、空気清浄機能を実行する。パネルＰＮ１は筐体ＨＳに着脱自在である。
【００１３】
ここで、第１方向Ｄ１、第２方向Ｄ２、所定方向ＤＡ、および特定方向ＤＢを定義する。第１方向Ｄ１は、筐体ＨＳに向かってパネルＰＮ１から離れる方向を示す。つまり、第１方向Ｄ１は、パネルＰＮ１の配置される側から筐体ＨＳの側に向かう方向を示す。実施形態１では、第１方向Ｄ１は、電子機器１００の背面側から前面側に向かう方向を示し、水平方向に沿っている。
【００１４】
第２方向Ｄ２は、第１方向Ｄ１の逆方向を示す。具体的には、第２方向Ｄ２は、パネルＰＮ１に向かって筐体ＨＳから離れる方向を示す。つまり、第２方向Ｄ２は、筐体ＨＳの側からパネルＰＮ１の配置される側に向かう方向を示す。実施形態１では、第２方向Ｄ２は、電子機器１００の前面側から背面側に向かう方向を示し、水平方向に沿っている。
【００１５】
所定方向ＤＡは、第１方向Ｄ１および第２方向Ｄ２に交差している。実施形態１では、所定方向ＤＡは、第１方向Ｄ１および第２方向Ｄ２に略直交し、鉛直方向に沿っている。
【００１６】
特定方向ＤＢは、所定方向ＤＡ、第１方向Ｄ１、および第２方向Ｄ２に交差している。実施形態１では、特定方向ＤＢは、所定方向ＤＡ、第１方向Ｄ１、および第２方向Ｄ２に略直交し、水平方向に沿っている。
【００１７】
次に、図３を参照して機器本体１を説明する。図３は、機器本体１を示す背面図である。図３に示すように、機器本体１の筐体ＨＳはフィルター収容部１１を含む。また、機器本体１は、フィルター１７と、ファン１９と、把手２０とをさらに含む。フィルター１７とファン１９とは、空気清浄機能を実行する機能部である。なお、図３では、図面を見易くするために、フィルター１７を二点鎖線で表している。
【００１８】
フィルター１７は、空気中の塵埃を集塵する。フィルター１７は、略直方体形状を有する。フィルター１７は、例えば、ＨＥＰＡ（Ｈｉｇｈ  Ｅｆｆｉｃｉｅｎｃｙ  Ｐａｒｔｉｃｕｌａｔｅ  Ａｉｒ）フィルターで構成されている。ＨＥＰＡフィルターは、ポリエステルおよびビニロン系不織布からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造を有する。
【００１９】
フィルター収容部１１はフィルター１７を収容する。具体的には、フィルター収容部１１は、略直方体状であり、開口ＰＧを有する。なお、所定方向ＤＡおよび特定方向ＤＢは開口ＰＧに略平行である。また、図２に示す第１方向Ｄ１および第２方向Ｄ２の各々は開口ＰＧに交差している。実施形態１では、第１方向Ｄ１および第２方向Ｄ２の各々は開口ＰＧに略直交している。
【００２０】
フィルター収容部１１は、枠部１１ａと、底部１１ｂとを含む。枠部１１ａは略矩形状である。底部１１ｂは、略矩形状であるとともに、略平板状である。底部１１ｂは吸込口１３を有する。一方、機器本体１は吹出口１５を有する。なお、所定方向ＤＡは、枠部１１ａの側辺に沿っている。特定方向ＤＢは、枠部１１ａの上辺および下辺に沿っている。
【００２１】
ファン１９は、底部１１ｂに対して、フィルター１７の反対側に配置される。ファン１９は回転する。そして、ファン１９は、フィルター１７を通して吸込口１３から電子機器１００の外部の空気を吸い込み、フィルター１７を通った空気を吹出口１５から電子機器１００の外部へ吹き出す。
【００２２】
把手２０は、フィルター収容部１１の上方に設けられる凹部である。図１に示すように、把手２０はパネルＰＮ１から露出している。従って、ユーザーは、把手２０を持って、電子機器１００を移動できる。
【００２３】
再び図３を参照して、筐体ＨＳは、第１延設部２１と、第２延設部２２とをさらに含む。第１延設部２１は所定方向ＤＡに沿って延びる。第２延設部２２は所定方向ＤＡに沿って延びる。実施形態１では、第１延設部２１および第２延設部２２の各々は、フィルター収容部１１よりも上方まで延びている。第２延設部２２は、第１延設部２１に対して特定方向ＤＢに間隔をあけて配置される。具体的には、第１延設部２１と第２延設部２２とは、フィルター収容部１１を挟むように配置される。
【００２４】
第１延設部２１および第２延設部２２の各々の表面は、略平坦であってもよいし、起伏を有していてもよいし、略平坦な部分と凸部とを有していてもよいし、略平坦な部分と凹部とを有していてもよく、特定の形状に限定されない。
【００２５】
筐体ＨＳは、単数または複数の筐体側第１嵌合部３をさらに含む。実施形態１では、筐体ＨＳは、複数の筐体側第１嵌合部３（図３では４つの筐体側第１嵌合部３）を含む。複数の筐体側第１嵌合部３は、第１延設部２１に配置される。複数の筐体側第１嵌合部３は、所定方向ＤＡに沿って互いに間隔をあけて略一直線上に配置される。
【００２６】
筐体側第１嵌合部３は、筐体側第１嵌合部３を第１方向Ｄ１（図２）から見たときに、略矩形状である。筐体側第１嵌合部３は、第１延設部２１の表面に対して凹んでいる。具体的には、筐体側第１嵌合部３は凹部である。
【００２７】
筐体ＨＳは、単数または複数の筐体側第２嵌合部４をさらに含む。実施形態１では、筐体ＨＳは、複数の筐体側第２嵌合部４（図３では４つの筐体側第２嵌合部４）を含む。複数の筐体側第２嵌合部４は、第２延設部２２に配置される。複数の筐体側第２嵌合部４は、所定方向ＤＡに沿って互いに間隔をあけて略一直線上に配置される。
【００２８】
筐体側第２嵌合部４は、筐体側第２嵌合部４を第１方向Ｄ１（図２）から見たときに、略矩形状である。筐体側第２嵌合部４は、第２延設部２２の表面に対して凹んでいる。具体的には、筐体側第２嵌合部４は凹部である。
【００２９】
筐体側第１嵌合部３と筐体側第２嵌合部４とは、鏡像対称になるように構成されている。
【００３０】
筐体ＨＳは、単数または複数の上側被引掛部７をさらに含む。実施形態１では、筐体ＨＳは、複数の上側被引掛部７（図３では２つの上側被引掛部７）を含む。複数の上側被引掛部７は、特定方向ＤＢに沿って互いに間隔をあけて略一直線上に配置される。複数の上側被引掛部７は、把手２０を挟むように、フィルター収容部１１の上方に配置される。上側被引掛部７は、スナップフィットの凹部を構成している。
【００３１】
筐体ＨＳは、単数または複数の被差込部９をさらに含む。実施形態１では、筐体ＨＳは、複数の被差込部９（図３では２つの被差込部９）を含む。複数の被差込部９は、特定方向ＤＢに沿って互いに間隔をあけて略一直線上に配置される。複数の被差込部９は、フィルター収容部１１の下方に配置される。被差込部９の各々は、特定方向ＤＢに沿って延びる穴を有する。
【００３２】
次に、図４〜図６を参照して、パネルＰＮ１を説明する。また、筐体ＨＳに関して適宜図３を参照する。図４は、パネルＰＮ１を示す裏面図である。図５は、パネルＰＮ１を示す上面図である。なお、図４では、図５の方向ＡからパネルＰＮ１を見ている。図６は、パネルＰＮ１の一部を示す斜視図である。
【００３３】
図４〜図６に示すように、パネルＰＮ１は、上面視において、略扁平な略Ｕ字状である。パネルＰＮ１は通風口３４を有する。通風口３４は複数の通風孔を有する。電子機器１００の外部の空気は、通風口３４を通して、ファン１９（図３）によって電子機器１００の内部に吸い込まれる。パネルＰＮ１は開口ＰＧ（図３）を覆う。
【００３４】
パネルＰＮ１は、本体壁部３０と、第１側壁部３１と、第２側壁部３２とを含む。本体壁部３０は、電子機器１００の外部に向かって若干湾曲している略平板形状を有する。なお、本体壁部３０は、略平坦な略平板形状を有していてもよい。本体壁部３０は、裏面視において、略矩形状である。本体壁部３０に通風口３４が形成される。
【００３５】
第１側壁部３１は、所定方向ＤＡに沿って延びている。第１側壁部３１は、本体壁部３０に対して筐体ＨＳの第１延設部２１（図３）の側に向かって湾曲している。つまり、第１側壁部３１は、本体壁部３０に対して第１方向Ｄ１に湾曲している。第１側壁部３１は、第１延設部２１に対向している。
【００３６】
第２側壁部３２は、所定方向ＤＡに沿って延びている。第２側壁部３２は、本体壁部３０に対して筐体ＨＳの第２延設部２２（図３）の側に向かって湾曲している。つまり、第２側壁部３２は、本体壁部３０に対して第１方向Ｄ１に湾曲している。第２側壁部３２は、第２延設部２２に対向している。
【００３７】
第１側壁部３１と第２側壁部３２とは、本体壁部３０を挟んで対向している。第１側壁部３１および第２側壁部３２の各々の曲率は、本体壁部３０の曲率よりも大きい。
【００３８】
パネルＰＮ１は、単数又は複数のパネル側第１嵌合部４１をさらに含む。実施形態１では、パネルＰＮ１は、複数のパネル側第１嵌合部４１（図４では３つのパネル側第１嵌合部４１）を含む。複数のパネル側第１嵌合部４１は第１側壁部３１に配置される。複数のパネル側第１嵌合部４１は、所定方向ＤＡに沿って互いに間隔をあけて略一直線上に配置される。
【００３９】
パネル側第１嵌合部４１は、筐体ＨＳに向かって突出している。具体的には、パネル側第１嵌合部４１は、筐体ＨＳの第１延設部２１（図３）に向かって突出している。パネル側第１嵌合部４１は、第１側壁部３１の内面から突出する凸部であり、基端部４０ａと本体部４０ｂとを有する。基端部４０ａは第１側壁部３１の内面から突出している。本体部４０ｂは、基端部４０ａから第１方向Ｄ１に延びている。なお、パネル側第１嵌合部４１は基端部４０ａを有していなくてもよい。
【００４０】
パネルＰＮ１は、単数又は複数のパネル側第２嵌合部４２をさらに含む。実施形態１では、パネルＰＮ１は、複数のパネル側第２嵌合部４２（図４では３つのパネル側第２嵌合部４２）を含む。複数のパネル側第２嵌合部４２は第２側壁部３２に配置される。複数のパネル側第２嵌合部４２は、所定方向ＤＡに沿って互いに間隔をあけて略一直線上に配置される。
【００４１】
パネル側第２嵌合部４２は、筐体ＨＳに向かって突出している。具体的には、パネル側第２嵌合部４２は、筐体ＨＳの第２延設部２２（図３）に向かって突出している。パネル側第２嵌合部４２は、第２側壁部３２の内面から突出する凸部であり、基端部４０ａと本体部４０ｂとを有する。基端部４０ａは第２側壁部３２の内面から突出している。本体部４０ｂは、基端部４０ａから第１方向Ｄ１に延びている。なお、パネル側第１嵌合部４１は基端部４０ａを有していなくてもよい。
【００４２】
パネル側第１嵌合部４１とパネル側第２嵌合部４２とは、鏡像対称になるように構成されている。
【００４３】
パネルＰＮ１は、単数または複数の上側引掛部４７をさらに含む。実施形態１では、パネルＰＮ１は、複数の上側引掛部４７（図４では２つの上側引掛部４７）を含む。複数の上側引掛部４７は本体壁部３０に配置される。複数の上側引掛部４７は、特定方向ＤＢに沿って互いに間隔をあけて略一直線上に配置される。複数の上側引掛部４７は、通風口３４の上方に配置される。上側引掛部４７は、スナップフィットの凸部を構成している。具体的には、上側引掛部４７は、本体壁部３０の内面から筐体ＨＳに向かって突出している。上側引掛部４７は、第１方向Ｄ１に延びており、爪部４７ａを有する。爪部４７ａは、所定方向ＤＡに沿って鉛直上方に向かって突起する。
【００４４】
パネルＰＮ１は、単数または複数の差込部４９を含む。実施形態１では、パネルＰＮ１は、複数の差込部４９（図４では２つの差込部４９）を含む。複数の差込部４９は本体壁部３０に配置される。複数の差込部４９は、特定方向ＤＢに沿って互いに間隔をあけて略一直線上に配置される。複数の差込部４９は、通風口３４の下方に配置される。差込部４９は、本体壁部３０の下端縁から鉛直下方に向かって突出している。差込部４９は、略平板状であり、テーパー形状を有する。
【００４５】
次に、図７を参照して、パネルＰＮ１が筐体ＨＳに装着されたときの筐体側第１嵌合部３およびパネル側第１嵌合部４１の状態を説明する。図７は、筐体側第１嵌合部３とパネル側第１嵌合部４１との嵌合状態を示す横断面図である。図７では、図３〜図５の位置ＬＣ１において、図１のＶＩＩ−ＶＩＩ線に沿った筐体ＨＳおよびパネルＰＮ１の断面が示される。
【００４６】
図７に示すように、筐体側第１嵌合部３とパネル側第１嵌合部４１とは、互いに引っ掛かることなく嵌合する。つまり、筐体側第１嵌合部３およびパネル側第１嵌合部４１は、スナップフィットのような引っ掛かる部分を有していない。同様に、図３に示す筐体側第２嵌合部４と図５に示すパネル側第２嵌合部４２とは、互いに引っ掛かることなく嵌合する。つまり、筐体側第２嵌合部４およびパネル側第２嵌合部４２は、スナップフィットのような引っ掛かる部分を有していない。
【００４７】
従って、実施形態１によれば、筐体ＨＳに対してパネルＰＮ１を容易に脱着できる。
【００４８】
具体的には、図７に示すように、筐体側第１嵌合部３は、パネルＰＮ１から離れる方向に凹んでおり、凹部を構成する。つまり、筐体側第１嵌合部３は、第１方向Ｄ１に凹んでおり、第２方向Ｄ２に向けて開口している。一方、パネル側第１嵌合部４１の本体部４０ｂは、基端部４０ａから第１方向Ｄ１に延びている。そして、本体部４０ｂが筐体側第１嵌合部３に挿入される。その結果、パネル側第１嵌合部４１が筐体側第１嵌合部３に嵌合する。実施形態１によれば、凹んでいる筐体側第１嵌合部３と、突出しているパネル側第１嵌合部４１とを設けることで、簡素な構成によって、筐体ＨＳに対してパネルＰＮ１を容易に脱着できる。
【００４９】
また、実施形態１では、本体部４０ｂは傾斜部４０２を含む。従って、本体部４０ｂが、傾斜部４０２によって筐体側第１嵌合部３に案内される。その結果、本体部４０ｂは筐体側第１嵌合部３に容易に挿入されることができる。
【００５０】
筐体側第１嵌合部３は、底壁部１０ａと、側壁部１０ｂと、側壁部１０ｃとを含む。底壁部１０ａは第１方向Ｄ１に交差する。実施形態１では、底壁部１０ａは第１方向Ｄ１に直交する。本体部４０ｂは、底壁部１０ａに接触することが可能である。従って、底壁部１０ａは、本体部４０ｂに対するストッパーとして機能する。
【００５１】
側壁部１０ｂと側壁部１０ｃとは、底壁部１０ａから第２方向Ｄ２に延びており、互いに対向する。特定方向ＤＢにおいて、側壁部１０ｂは、本体部４０ｂに対して、側壁部１０ｃよりも外側に位置する。
【００５２】
一方、パネル側第１嵌合部４１の本体部４０ｂは、側部４００と、側部４０１とをさらに含む。側部４００および側部４０１は、第１方向Ｄ１に延びており、互いに対向する。特定方向ＤＢにおいて、側部４００は、側部４０１よりも外側に位置する。
【００５３】
そして、本体部４０ｂの側部４００は、筐体側第１嵌合部３の側壁部１０ｂに接触することが可能である。従って、実施形態１によれば、パネルＰＮ１の第１側壁部３１が、外方向ＤＥに広がるように反ることを抑制できる。外方向ＤＥは、第１方向Ｄ１に交差し、筐体ＨＳの外部を向いている。
【００５４】
なお、冗長回避のため図示を省略したが、図３に示す筐体側第２嵌合部４は、筐体側第１嵌合部３と同様に、パネルＰＮ１から離れる方向に凹んでおり、凹部を構成する。また、筐体側第２嵌合部４は、筐体側第１嵌合部３と同様に、底壁部１０ａと、側壁部１０ｂと、側壁部１０ｃとを含む。その他、筐体側第２嵌合部４の構成は、筐体側第１嵌合部３の構成と同様である。
【００５５】
また、冗長回避のため図示を省略したが、図５に示すパネル側第２嵌合部４２は、パネル側第１嵌合部４１と同様に、基端部４０ａと、本体部４０ｂとを含む。また、パネル側第２嵌合部４２の本体部４０ｂは、パネル側第１嵌合部４１の本体部４０ｂと同様に、側部４００と、側部４０１と、傾斜部４０２とを含む。その他、パネル側第２嵌合部４２の構成は、パネル側第１嵌合部４１の構成と同様である。
【００５６】
以上、図７を参照して説明したように、実施形態１によれば、筐体側第１嵌合部３、筐体側第２嵌合部４、パネル側第１嵌合部４１、および、パネル側第２嵌合部４２を設けることで、簡素な構成によって筐体ＨＳに対してパネルＰＮ１を容易に脱着できることに加えて、パネルＰＮ１の第１側壁部３１および第２側壁部３２が、特定方向ＤＢに広がるように反ることを抑制できる。
【００５７】
次に、図８を参照して、パネルＰＮ１が筐体ＨＳに装着されたときの筐体ＨＳの上側被引掛部７およびパネルＰＮ１の上側引掛部４７の状態を説明する。図８は、上側被引掛部７と上側引掛部４７との係合状態を示す縦断面図である。図８では、図３〜図５の位置ＬＣ２において、図１のＶＩＩＩ−ＶＩＩＩ線に沿った筐体ＨＳおよびパネルＰＮ１の断面が示される。
【００５８】
図８に示すように、上側被引掛部７と上側引掛部４７とは、スナップフィットを構成する。具体的には、上側引掛部４７の弾性によって、上側引掛部４７の爪部４７ａが上側被引掛部７に引っ掛けられる。その結果、実施形態１によれば、パネルＰＮ１が第２方向Ｄ２に抜けることが抑制される。また、パネルＰＮ１の本体壁部３０が第２方向Ｄ２に反ることを抑制できる。
【００５９】
次に、図９を参照して、パネルＰＮ１が筐体ＨＳに装着されたときの筐体ＨＳの被差込部９およびパネルＰＮ１の差込部４９の状態を説明する。図９は、被差込部９に差込部４９を差し込んだときの差込状態を示す縦断面図である。図９では、図３および図４の位置ＬＣ３において、図１のＩＸ−ＩＸ線に沿った筐体ＨＳおよびパネルＰＮ１の断面が示される。
【００６０】
図９に示すように、差込部４９が被差込部９に差し込まれている。その結果、実施形態１によれば、パネルＰＮ１が第２方向Ｄ２に抜けることが抑制される。
【００６１】
なお、パネルＰＮ１が筐体ＨＳに装着される際には、まず、差込部４９が被差込部９に差し込まれる。次に、被差込部９を支点としてパネルＰＮ１が回動されて、筐体側第１嵌合部３にパネル側第１嵌合部４１が挿入されるとともに、筐体側第２嵌合部４にパネル側第２嵌合部４２が挿入される。そして、パネルＰＮ１が更に回動されると、上側引掛部４７が上側被引掛部７に引っ掛けられる。その結果、パネルＰＮ１が筐体ＨＳに装着される。
【００６２】
次に、再び図３を参照して筐体ＨＳを説明する。図３に示すように、筐体ＨＳは、第１被引掛部５と、第２被引掛部６とをさらに含む。第１被引掛部５は第１延設部２１に配置される。第２被引掛部６は第２延設部２２に配置される。そして、第１被引掛部５には、所定の第１爪構造が引っ掛かることが可能である。第２被引掛部６には、所定の第２爪構造が引っ掛かることが可能である。
【００６３】
従って、実施形態１によれば、パネルＰＮ１と異なるパネル（以下、「相違パネル」と記載する。）が、パネル側第１嵌合部４１およびパネル側第２嵌合部４２に加えて、所定の第１爪構造および所定の第２爪構造を有する場合に、相違パネルを筐体ＨＳに装着することができる。
【００６４】
その結果、パネルＰＮ１を有する電子機器１００と、相違パネルを有する電子機器（以下、「相違電子機器」と記載する。）との間で、筐体ＨＳを共通にできる。筐体ＨＳを共通にできると、電子機器１００ごと及び相違電子機器ごとに筐体を設計及び製造する必要がなく、電子機器１００及び相違電子機器の製造コストを低減できる。また、筐体ＨＳに対する金型投資費用を削減できる。
【００６５】
特に、相違電子機器が電子機器１００と異なる機能を有し、異なる機能に応じた相違パネルが相違電子機器に搭載される場合に、相違電子機器と電子機器１００との間で筐体ＨＳを共通にできると、電子機器１００及び相違電子機器の製造コストを低減できる。
【００６６】
ここで、複数の筐体側第１嵌合部３のうち、第１被引掛部５に最も近い筐体側第１嵌合部３を「筐体側第１嵌合部３７」と記載する場合がある。また、複数の筐体側第２嵌合部４のうち、第２被引掛部６に最も近い筐体側第２嵌合部４を「筐体側第２嵌合部４８」と記載する場合がある。
【００６７】
そして、第１被引掛部５と筐体側第１嵌合部３７とは、近接して配置される。具体的には、第１被引掛部５と筐体側第１嵌合部３７とは隣接している。また、第２被引掛部６と筐体側第２嵌合部４８とは、近接して配置される。具体的には、第２被引掛部６と筐体側第２嵌合部４８とは隣接している。
【００６８】
従って、実施形態１によれば、相違電子機器の相違パネルにおいて、第１被引掛部５に引っ掛かる所定の第１爪構造と、筐体側第１嵌合部３７に嵌合するパネル側第１嵌合部４１とを容易に一体成形できる。また、相違電子機器の相違パネルにおいて、第２被引掛部６に引っ掛かる所定の第２爪構造と、筐体側第２嵌合部４８に嵌合するパネル側第２嵌合部４２とを容易に一体成形できる。その結果、相違電子機器における部品点数を削減できて、相違電子機器の製造コストを低減できる。
【００６９】
また、実施形態１では、第１被引掛部５は、所定方向ＤＡにおける筐体ＨＳの長さの半分よりも高い位置に配置される。さらに、第２被引掛部６は、所定方向ＤＡにおける筐体ＨＳの長さの半分よりも高い位置に配置される。従って、相違パネルの所定の第１爪構造および所定の第２爪構造は、相違電子機器の比較的上側で、第１被引掛部５および第２被引掛部６に引っ掛けられる。その結果、相違パネルの上部近傍が把持され、相違電子機器が持ち上げられて移動される際にも、相違パネルが筐体ＨＳから外れることを抑制できる。
【００７０】
さらに、実施形態１では、第１被引掛部５は、被引掛部５３と、孔部５４とを含む。また、第２被引掛部６は、被引掛部５３と、孔部５４とを含む。被引掛部５３および孔部５４は、実施形態２で詳述する。第１被引掛部５と第２被引掛部６とは、鏡像対称になるように構成されている。
【００７１】
（実施形態２）
図３および図１０〜図１６を参照して、本発明の実施形態２に係る電子機器１００Ａを説明する。実施形態２の電子機器１００Ａが虫を捕獲する機能を有する点で、実施形態２は実施形態１と主に異なる。以下、実施形態２が実施形態１と異なる点を主に説明する。
【００７２】
まず、図１０および図１１を参照して、電子機器１００Ａを説明する。電子機器１００Ａは、実施形態１に係る電子機器１００と同様に、例えば、家電機器である。実施形態２では、電子機器１００Ａは、空気清浄機である。
【００７３】
図１０は、実施形態２に係る電子機器１００Ａを示す背面図である。図１１は、電子機器１００Ａを示す側面図である。図１０および図１１に示すように、電子機器１００Ａは、機器本体１Ａと、パネルＰＮ２とを備える。パネルＰＮ２は筐体ＨＳに着脱自在である。パネルＰＮ２は複数の通風孔３４Ａを有する。パネルＰＮ２は例えば合成樹脂製である。
【００７４】
機器本体１Ａは、筐体ＨＳと、所定機能を実行する機能部（不図示）とを含む。筐体ＨＳは機能部を収容する。実施形態２では、機能部は、空気清浄機能と、虫捕捕獲機能とを実行する。
【００７５】
具体的には、機器本体１Ａは、実施形態１に係る機器本体１の構成に加えて、虫捕捕獲機能を実行する構成として、虫誘引部と、捕獲部とを含む。虫誘引部は、蚊などの虫を誘引する。虫誘引部は、例えば、虫を誘引する紫外線を発生する光源部、または、虫を誘引する所定周波数の音波を発生する音波発生部を含む。虫誘引部は、パネルＰＮ２の裏側、または、筐体ＨＳに配置される。捕獲部は、虫誘引部によって誘引された蚊などの虫を捕獲する。捕獲部は、例えば、粘着性の物質を有する粘着部（例えば粘着シート）を含む。捕獲部は、パネルＰＮ２の裏側、または、筐体ＨＳに配置される。
【００７６】
蚊などの虫は、虫誘引部によって、パネルＰＮ２の通風孔３４Ａを通って、電子機器１００Ａの内部に誘引される。そして、虫は、電子機器１００Ａの内部に配置された捕獲部に捕獲される。
【００７７】
実施形態２に係る筐体ＨＳは、実施形態１に係る筐体ＨＳと同一である。つまり、実施形態２に係る電子機器１００Ａと実施形態１に係る電子機器１００とで、筐体ＨＳが共通する。従って、電子機器１００Ａごと及び電子機器１００ごとに筐体を設計及び製造する必要がなく、電子機器１００Ａ及び電子機器１００の製造コストを低減できる。
【００７８】
なお、電子機器１００Ａの外部の空気は、複数の通風孔３４Ａを通して、ファン１９（図３）によって電子機器１００Ａの内部に吸い込まれる。
【００７９】
次に、図１２および図１３を参照して、パネルＰＮ２を説明する。また、筐体ＨＳに関して適宜図３を参照する。図１２は、パネルＰＮ２を示す裏面図である。図１３は、パネルＰＮ２の一部を示す斜視図である。なお、図１２では、図１３の方向ＢからパネルＰＮ２を見ている。
【００８０】
図１２および図１３に示すように、パネルＰＮ２は、上面視において、略扁平な略Ｕ字状である。パネルＰＮ２は、本体壁部３０Ａと、第１側壁部３１Ａと、第２側壁部３２Ａと、単数または複数のパネル側第１嵌合部４１と、単数または複数のパネル側第２嵌合部４２と、第１引掛部８１と、第２引掛部８２とを含む。実施形態２では、パネルＰＮ２は、複数のパネル側第１嵌合部４１（図１２では３つのパネル側第１嵌合部４１）、および、複数のパネル側第２嵌合部４２（図１２では３つのパネル側第２嵌合部４２）を含む。複数のパネル側第１嵌合部４１のうち、第１引掛部８１に最も近いパネル側第１嵌合部４１を「パネル側第１嵌合部７１」と記載する場合がある。また、複数のパネル側第２嵌合部４２のうち、第２引掛部８２に最も近いパネル側第２嵌合部４２を「パネル側第２嵌合部７２」と記載する場合がある。
【００８１】
本体壁部３０Ａの構成は、実施形態１に係る本体壁部３０の構成と同様である。ただし、本体壁部３０Ａは通風口３４（図４〜図６）を有しない。
【００８２】
第１側壁部３１Ａの構成は、実施形態１に係る第１側壁部３１の構成と同様である。従って、第１側壁部３１Ａには、パネル側第１嵌合部４１が配置される。実施形態２に係るパネル側第１嵌合部４１の構成は、実施形態１に係るパネル側第１嵌合部４１の構成と同様である。
【００８３】
第１側壁部３１Ａには、２以上の通風孔３４Ａが形成される。２以上の通風孔３４Ａは、所定方向ＤＡに沿って間隔をあけて略一直線上に配置される。通風孔３４Ａは、第１側壁部３１Ａに沿って湾曲している。
【００８４】
第１引掛部８１は、第１側壁部３１Ａに配置される。第１引掛部８１は、弾性を有し、第１被引掛部５（図３）に引っ掛かる。第１引掛部８１は、所定方向ＤＡにおけるパネルＰＮ２の長さの半分よりも高い位置に配置される。換言すれば、第１引掛部８１は、所定方向ＤＡにおける筐体ＨＳ（図３）の長さの半分よりも高い位置に配置される。第１引掛部８１とパネル側第１嵌合部７１とは、近接して配置される。第１引掛部８１とパネル側第１嵌合部７１とは、所定方向ＤＡに沿って並んでいる。
【００８５】
第１引掛部８１とパネル側第１嵌合部７１とは、一体成形品であり、第１装着部材６１を構成する。つまり、パネルＰＮ２は第１装着部材６１を含む。第１装着部材６１は、ビスのような固定部材ＦＸによって、第１側壁部３１Ａに固定される。
【００８６】
第２側壁部３２Ａの構成は、実施形態１に係る第２側壁部３２の構成と同様である。従って、第２側壁部３２Ａには、パネル側第２嵌合部４２が配置される。実施形態２に係るパネル側第２嵌合部４２の構成は、実施形態１に係るパネル側第２嵌合部４２の構成と同様である。第２側壁部３２Ａには、第１側壁部３１Ａと同様に、２以上の通風孔３４Ａが形成される。
【００８７】
第２引掛部８２は、第２側壁部３２Ａに配置される。第２引掛部８２は、弾性を有し、第２被引掛部６（図３）に引っ掛かる。第２引掛部８２は、所定方向ＤＡにおけるパネルＰＮ２の長さの半分よりも高い位置に配置される。換言すれば、第２引掛部８２は、所定方向ＤＡにおける筐体ＨＳ（図３）の長さの半分よりも高い位置に配置される。第２引掛部８２とパネル側第２嵌合部７２とは、近接して配置される。第２引掛部８２とパネル側第２嵌合部７２とは、所定方向ＤＡに沿って並んでいる。
【００８８】
第２引掛部８２とパネル側第２嵌合部７２とは、一体成形品であり、第２装着部材６２を構成する。つまり、パネルＰＮ２は第２装着部材６２を含む。第２装着部材６２は、ビスのような固定部材ＦＸによって、第２側壁部３２Ａに固定される。
【００８９】
以上、図１２および図１３を参照して説明したように、実施形態２によれば、パネルＰＮ２は、パネル側第１嵌合部４１およびパネル側第２嵌合部４２を含む。加えて、実施形態２に係る筐体ＨＳは実施形態１に係る筐体ＨＳと同一である。従って、パネル側第１嵌合部４１と筐体側第１嵌合部３とは、互いに引っ掛かることなく嵌合する。また、パネル側第２嵌合部４２と筐体側第２嵌合部４とは、互いに引っ掛かることなく嵌合する。従って、筐体ＨＳに対してパネルＰＮ２を容易に脱着できる。その他、実施形態２では、実施形態１と同様の効果を有する。
【００９０】
次に、図１４（ａ）および図１４（ｂ）を参照して、第１装着部材６１を説明する。図１４（ａ）は、第１装着部材６１を示す斜視図である。図１４（ｂ）は、第１装着部材６１を示す別の斜視図である。
【００９１】
図１４（ａ）および図１４（ｂ）に示すように、第１装着部材６１は、第１引掛部８１およびパネル側第１嵌合部７１に加えて、ベース部７５をさらに含む。ベース部７５は、第１側壁部３１Ａ（図１３）の内面に沿って湾曲し、第１側壁部３１Ａの内面に沿って配置される。
【００９２】
第１引掛部８１およびパネル側第１嵌合部７１は、ベース部７５の先端から延びている。具体的には、第１引掛部８１は、アーム部７６と、操作部７７と、爪部７８とを含む。爪部７８は「所定の第１爪構造」の一例に相当する。
【００９３】
アーム部７６は、ベース部７５の先端から突出して延びている。アーム部７６は、弾性を有するとともに、細長い略平板形状を有する。アーム部７６は板バネとして機能する。操作部７７は、アーム部７６の先端に配置される。操作部７７は、略有蓋円筒形状を有する。爪部７８は、操作部７７の外壁７７ａから延びており、更に外壁７７ａに沿って突起している。
【００９４】
パネル側第１嵌合部７１の構成は、実施形態１に係るパネル側第１嵌合部４１の構成と同様である。ただし、パネル側第１嵌合部７１の基端部４０ａは、ベース部７５の先端から延びている。
【００９５】
第１装着部材６１と第２装着部材６２（図１２）とは、鏡像対称になるように構成されている。冗長回避のため図面を省略したが、具体的には、第２装着部材６２は、第１装着部材６１と同様に、ベース部７５を含む。ベース部７５は、第２側壁部３２Ａ（図１３）の内面に沿って湾曲し、第２側壁部３２Ａの内面に沿って配置される。また、第２装着部材６２の第２引掛部８２は、第１引掛部８１と同様に、アーム部７６と、操作部７７と、爪部７８とを含む。爪部７８は「所定の第２爪構造」の一例に相当する。さらに、第２装着部材６２のパネル側第２嵌合部７２の基端部４０ａは、ベース部７５の先端から延びている。その他、第２装着部材６２の構成は、第１装着部材６１の構成と同様である。
【００９６】
以上、図１４（ａ）および図１４（ｂ）に示すように、実施形態２では、第１引掛部８１とパネル側第１嵌合部７１とは、一体成形品であり、第２引掛部８２とパネル側第２嵌合部７２とは、一体成形品である。従って、電子機器１００Ａの部品点数を削減できて、電子機器１００Ａのコストを低減できる。
【００９７】
なお、実施形態２では、第１引掛部８１がパネル側第１嵌合部７１の上段に配置されたが、第１引掛部８１がパネル側第１嵌合部７１の下段に配置されてもよい。同様に、第２引掛部８２がパネル側第２嵌合部７２の下段に配置されてもよい。さらに、図３では、第１被引掛部５が筐体側第１嵌合部３７の上段に配置されたが、第１被引掛部５が筐体側第１嵌合部３７の下段に配置されてもよい。同様に、第２被引掛部６が筐体側第２嵌合部４８の下段に配置されてもよい。
【００９８】
次に、図１５を参照して、パネルＰＮ２が筐体ＨＳに装着されたときの筐体ＨＳの第１被引掛部５およびパネルＰＮ２の第１引掛部８１の状態を説明する。図１５は、第１被引掛部５と第１引掛部８１との係合状態を示す横断面図である。図１５では、図１２の位置ＬＣ４において、図１０のＸＶ−ＸＶ線に沿った筐体ＨＳおよびパネルＰＮ２の断面が示される。
【００９９】
図１５に示すように、第１引掛部８１は第１被引掛部５に引っ掛かる。具体的には、第１被引掛部５の被引掛部５３は、筐体ＨＳから特定方向ＤＢに沿って筐体ＨＳの内部に向かって張り出している。第１被引掛部５の孔部５４は、筐体ＨＳを第１方向Ｄ１に貫通している。孔部５４と被引掛部５３とは隣接している。また、孔部５４は、第２方向Ｄ２に向かって開口している。
【０１００】
一方、パネルＰＮ２の第１引掛部８１は、ベース部７５から第１方向Ｄ１に延びている。具体的には、第１引掛部８１のアーム部７６および爪部７８が第１方向Ｄ１に延びている。爪部７８は、更に特定方向ＤＢに沿って筐体ＨＳの外部に向かって突起している。
【０１０１】
そして、爪部７８が孔部５４に挿入される。従って、爪部７８は、第１引掛部８１（具体的にはアーム部７６）の弾性によって被引掛部５３に引っ掛かる。その結果、パネルＰＮ２が第２方向Ｄ２に移動することを抑制できる。
【０１０２】
一方、操作部７７が方向Ｐに押下されると、爪部７８が被引掛部５３から外れる。従って、操作部７７が方向Ｐに押下されつつ、パネルＰＮ２が第２方向Ｄ２に引かれると、爪部７８が孔部５４から抜ける。その結果、パネルＰＮ２を筐体ＨＳから取り外すことが可能である。
【０１０３】
また、冗長回避のため図示を省略したが、筐体ＨＳの第２被引掛部６（図３）は、第１被引掛部５と鏡像対称になるように構成され、パネルＰＮ２の第２引掛部８２（図１２）は、第１引掛部８１と鏡像対称になるように構成される。従って、第２被引掛部６と第２引掛部８２との係合状態は、第１被引掛部５と第１引掛部８１との係合状態と同様である。
【０１０４】
なお、図１０に示すように、一対の操作部７７は、それぞれ、パネルＰＮ２の第１側壁部３１Ａおよび第２側壁部３２Ａから露出している。従って、ユーザーは操作部７７を容易に押下して、パネルＰＮ２を筐体ＨＳから取り外すことができる。その結果、ユーザーの利便性を向上できる。
【０１０５】
また、実施形態２では、第１装着部材６１（具体的には第１引掛部８１）および第２装着部材６２（具体的には第２引掛部８２）は、所定方向ＤＡにおける筐体ＨＳの長さ（またはパネルＰＮ２の長さ）の半分よりも高い位置に配置される。加えて、図３に示すように、第１被引掛部５および第２被引掛部６は、所定方向ＤＡにおける筐体ＨＳの長さの半分よりも高い位置に配置される。
【０１０６】
従って、パネルＰＮ２の第１引掛部８１および第２引掛部８２は、電子機器１００Ａの比較的上側で、第１被引掛部５および第２被引掛部６に引っ掛けられる。その結果、例えば、パネルＰＮ２の最上段の通風孔３４Ａ近傍がユーザーによって把持され、電子機器１００Ａが持ち上げられて移動される際に、パネルＰＮ２が筐体ＨＳから外れることを抑制できる。なぜなら、力の加わる場所（例えば、最上段の通風孔３４Ａ近傍）の近くに第１引掛部８１および第２引掛部８２が配置されるからである。
【０１０７】
また、操作部７７は、最上段の通風孔３４Ａの下方に配置される。従って、例えば、パネルＰＮ２の最上段の通風孔３４Ａ近傍がユーザーによって把持され、電子機器１００Ａが持ち上げられて移動される際に、ユーザーが誤って操作部７７を押下することを抑制できる。
【０１０８】
なお、図３に示す複数の筐体側第１嵌合部３のうちの最上段の筐体側第１嵌合部３に隣接して第１被引掛部５を配置し、複数の筐体側第２嵌合部４のうちの最上段の筐体側第２嵌合部４に隣接して第２被引掛部６を配置してもよい。そして、パネルＰＮ２の第１引掛部８１を最上段の筐体側第１嵌合部３に隣接する第１被引掛部５に対応して配置し、パネルＰＮ２の第２引掛部８２を最上段の筐体側第２嵌合部４に隣接する第２被引掛部６に対応して配置してもよい。この場合、例えば、パネルＰＮ２の最上段の通風孔３４Ａ近傍がユーザーによって把持され、電子機器１００Ａが持ち上げられて移動される際に、パネルＰＮ２が筐体ＨＳから外れることを更に抑制できる。
【０１０９】
次に、図１６を参照して、パネルＰＮ２が筐体ＨＳに装着されたときの筐体側第１嵌合部３７およびパネル側第１嵌合部７１の状態を説明する。図１６は、筐体側第１嵌合部３７とパネル側第１嵌合部７１との嵌合状態を示す横断面図である。図１６では、図１２の位置ＬＣ５において、図１０のＸＶＩ−ＸＶＩ線に沿った筐体ＨＳおよびパネルＰＮ２の断面が示される。
【０１１０】
図１６に示すように、筐体側第１嵌合部３７とパネル側第１嵌合部７１とは、図７を参照して説明した筐体側第１嵌合部３とパネル側第１嵌合部４１と同様に、互いに引っ掛かることなく嵌合する。その他、筐体側第１嵌合部３７とパネル側第１嵌合部７１の嵌合状態は、図７を参照して説明した筐体側第１嵌合部３とパネル側第１嵌合部４１との嵌合状態と同様である。
【０１１１】
また、冗長回避のため図示を省略したが、筐体側第２嵌合部４８（図３）は、筐体側第１嵌合部３７と鏡像対称になるように構成され、パネル側第２嵌合部７２（図１２）は、パネル側第１嵌合部７１と鏡像対称になるように構成される。従って、筐体側第２嵌合部４８とパネル側第２嵌合部７２との嵌合状態は、筐体側第１嵌合部３７とパネル側第１嵌合部７１との嵌合状態と同様である。
【０１１２】
（実施形態３）
図１７を参照して、本発明の実施形態３に係る電子機器１００を説明する。実施形態３では、電子機器１００の筐体側第１嵌合部３Ａおよび筐体側第２嵌合部４Ａが突出しているとともに、パネル側第１嵌合部４１Ａおよびパネル側第２嵌合部４２Ａが凹んでいる点で、実施形態３は実施形態１および実施形態２と主に異なる。以下、実施形態３が実施形態１および実施形態２と異なる点を主に説明する。
【０１１３】
図１７は、実施形態３に係る筐体側第１嵌合部３Ａとパネル側第１嵌合部４１Ａとの嵌合状態を示す横断面図である。図１７では、図３〜図５の位置ＬＣ１において、図１のＶＩＩ−ＶＩＩ線に沿った筐体ＨＳおよびパネルＰＮ１の断面に相当する断面が示される。
【０１１４】
図１７に示すように、実施形態３では、筐体ＨＳは、実施形態１または実施形態２に係る筐体側第１嵌合部３に代えて、筐体側第１嵌合部３Ａを含む。筐体側第１嵌合部３Ａは、筐体ＨＳからパネルＰＮ１に向かって突出している。具体的には、筐体側第１嵌合部３Ａは、筐体ＨＳから第２方向Ｄ２に突出している。筐体側第１嵌合部３Ａは、略平板状である。筐体側第１嵌合部３Ａは、例えば、リブである。
【０１１５】
一方、パネルＰＮ１は、実施形態１または実施形態２に係るパネル側第１嵌合部４１に代えて、パネル側第１嵌合部４１Ａを含む。パネル側第１嵌合部４１Ａは、ベース部４１０と、凹部４１１とを含む。ベース部４１０は、パネルＰＮ１から第１方向Ｄ１に突出している。凹部４１１は、ベース部４１０に配置され、筐体ＨＳから離れる方向に凹んでいる。具体的には、凹部４１１は、第２方向Ｄ２に凹んでいる。また、凹部４１１は、第１方向Ｄ１に開口している。
【０１１６】
そして、筐体側第１嵌合部３Ａが凹部４１１に挿入される。その結果、筐体側第１嵌合部３Ａがパネル側第１嵌合部４１Ａに嵌合する。凹部４１１に筐体側第１嵌合部３Ａが接触するため、パネルＰＮ１の第１側壁部３１が、外方向ＤＥに広がるように反ることを抑制できる。
【０１１７】
また、冗長回避のため図示を省略したが、実施形態３に係る筐体ＨＳは、実施形態１または実施形態２に係る筐体側第２嵌合部４に代えて、筐体側第２嵌合部４Ａを含む。筐体側第２嵌合部４Ａと筐体側第１嵌合部３Ａとは、鏡像対称になるように構成されている。従って、筐体側第２嵌合部４Ａは、筐体側第１嵌合部３Ａと同様に、パネルＰＮ１に向かって突出している。その他、筐体側第２嵌合部４Ａの構成は、筐体側第１嵌合部３Ａの構成と同様である。
【０１１８】
さらに、実施形態３に係る筐体ＨＳは、実施形態１または実施形態２に係るパネル側第２嵌合部４２に代えて、パネル側第２嵌合部４２Ａを含む。パネル側第２嵌合部４２Ａとパネル側第１嵌合部４１Ａとは、鏡像対称になるように構成されている。従って、パネル側第２嵌合部４２Ａは、パネル側第１嵌合部４１Ａと同様に、筐体ＨＳから離れる方向に凹んでいる凹部４１１を含む。その他、パネル側第２嵌合部４２Ａの構成は、パネル側第１嵌合部４１Ａの構成と同様である。
【０１１９】
さらに、筐体側第２嵌合部４Ａとパネル側第２嵌合部４２Ａとの嵌合状態は、筐体側第１嵌合部３Ａとパネル側第１嵌合部４１Ａとの嵌合状態と同様である。
【０１２０】
以上、図１７を参照して説明したように、実施形態３によれば、筐体側第１嵌合部３Ａとパネル側第１嵌合部４１Ａとは、互いに引っ掛かることなく嵌合する。また、筐体側第２嵌合部４Ａとパネル側第２嵌合部４２Ａとは、互いに引っ掛かることなく嵌合する。従って、筐体ＨＳに対してパネルＰＮ１を容易に脱着できる。
【０１２１】
また、実施形態３では、突出している筐体側第１嵌合部３Ａと、凹んでいるパネル側第１嵌合部４１Ａ（具体的には凹部４１１）とを設けている。さらに、突出している筐体側第２嵌合部４Ａと、凹んでいるパネル側第２嵌合部４２Ａ（具体的には凹部４１１）とを設けている。その結果、簡素な構成によって、筐体ＨＳに対してパネルＰＮ１を容易に脱着できる。その他、実施形態３では、実施形態１または実施形態２と同様の効果を有する。
【０１２２】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０１２３】
本発明は、電子機器を提供するものであり、産業上の利用可能性を有する。
【符号の説明】
【０１２４】
３、３７    筐体側第１嵌合部
４、４８    筐体側第２嵌合部
５    第１被引掛部
６    第２被引掛部
１７    フィルター
２１    第１延設部
２２    第２延設部
３０、３０Ａ    本体壁部
３１、３１Ａ    第１側壁部
３２、３２Ａ    第２側壁部
４１、４１Ａ    パネル側第１嵌合部
４２、４２Ａ    パネル側第２嵌合部
８１    第１引掛部
８２    第２引掛部
１００、１００Ａ    電子機器
４１１    凹部
ＨＳ    筐体
ＰＮ１、ＰＮ２    パネル
【図１】
2019224964.tif 000003
【図２】
2019224964.tif 000004
【図３】
2019224964.tif 000005
【図４】
2019224964.tif 000006
【図５】
2019224964.tif 000007
【図６】
2019224964.tif 000008
【図７】
2019224964.tif 000009
【図８】
2019224964.tif 000010
【図９】
2019224964.tif 000011
【図１０】
2019224964.tif 000012
【図１１】
2019224964.tif 000013
【図１２】
2019224964.tif 000014
【図１３】
2019224964.tif 000015
【図１４】
2019224964.tif 000016
【図１５】
2019224964.tif 000017
【図１６】
2019224964.tif 000018
【図１７】
2019224964.tif 000019
【国際調査報告】
2019224964.tif 000020
2019224964.tif 000021
2019224964.tif 000022
2019224964.tif 000023